(57)【要約】【課題】他物に当たっても容易に傷付くことはなく、良好な耐食性および外観を長期間にわたって維持することのできる魚釣用リールを提供すること【解決手段】リール本体１６のディスク状部１８ｂおよび側板２０ｂ一体的に形成された突面部２１ａ，２１ｂで形成される突設部の外周に、糸巻回層２６が形成されている魚釣用リール。【選択図】      図１
2007209280.tif 000002
【特許請求の範囲】
【請求項１】
リール本体に設けた突設部の外周に、糸巻回層が形成されていることを特徴とする魚釣用リール。
【請求項２】
前記突設部は、リール本体の外部に突設された状態で装着される外装部材である請求項１に記載の魚釣用リール。
【請求項３】
前記外装部材は、指で挟持されて回転操作される部材である請求項２に記載の魚釣用リール。
【請求項４】
前記外装部材は、巻取り回転操作されるハンドルの腕部先端部に回転自在に支持された摘み部である請求項３に記載の魚釣用リール。
【発明の詳細な説明】
【技術分野】
【０００１】
本発明は、リール本体の外部に突設した状態で装着される外装部品を備えた魚釣用リールに関する。
【背景技術】
【０００２】
一般に、魚釣用リールは、釣糸を巻回保持するスプールをリール本体で支えており、このリール本体には、例えばハンドル等の外装部材が突設されている。このようなハンドルは、通常、リール本体に設けられた巻取り駆動部に連結される連結部と、この連結部に取付けられる腕部と、この腕部の端部に回転自在に支持されて指で挟持されつつ操作される摘み部とを有する。
【０００３】
この摘み部には、指で挟持して回転操作する際に、指とのフィット性の向上および長時間にわたって挟持したときの、指の痛みの緩和を図るため、摘み部の全体をゴム等の可撓性カバーで覆うように配置したもの（例えば特許文献１参照）、あるいは、摘み部全体をコルク材で形成してその表面を柔軟性を有する保護用被膜で覆うようにしたもの（例えば特許文献２参照）がある。
【０００４】
また、魚釣用リールの外部に突設された外装部品として、アルミニウム合金をアルマイト処理したハンドル連結部の外側部材（例えば特許文献３参照）、フレームに外側板を着脱するセットスクリュウ頭部あるいはスプール軸端部を押圧してブレーキ力を調節するキャップ（例えば特許文献４参照）等がある。
【特許文献１】実開昭６３−１５７７６号公報
【特許文献２】特許第３４５７１４５号公報
【特許文献３】特開２００１−２３１４１４
【特許文献４】実公平２−２９９１１号公報
【発明の開示】
【発明が解決しようとする課題】
【０００５】
しかし、外装部品が摘み部である場合には、ゴムやコルク材等の軟質材で形成された摘み部は、把持したときに好適な感触を与えることができるとしても、釣糸からリール本体を介して伝達される魚信すなわち微振動が、これらの軟質材で吸収されることになる。このため、摘み部を介してハンドルを回転操作しつつ仕掛けを引き寄せる等の魚釣り操作中に、指で挟持している摘み部を介して魚信を確実に検知することができない。
【０００６】
また、外装部品がハンドル連結部の外側部材の場合には、この外側部材が実釣り時又は釣り場の移動中に他物に当たって傷付き易い。アルマイト処理した表面が傷付くと、内部のアルミニウム合金の腐食が促進され、外観が損なわれる。
【０００７】
また、外装部品がセットスクリュウ頭部あるいはキャップ等の締結用部材である場合には、通常、指で摘んで操作する外周部がローレット加工処理されている。このような金属表面の凹凸に指が直接触れると、この指を痛めやすい。このため、指による締め付け操作に支障を来たし易い。
【０００８】
このように、リール本体に突設される外装部品の表面部は、その実用に適したものではなく、部品本来の機能を充分に発揮しあるいは維持することができない。
【０００９】
本発明は、このような事情に基づいてなされたもので、他物に当たっても容易に傷付くことはなく、良好な耐食性および外観を長期間にわたって維持することのできる魚釣用リールを提供することを目的とする。
【課題を解決するための手段】
【００１０】
上記目的を達成する本発明の魚釣用リールは、リール本体に設けた突設部の外周に、糸巻回層が形成されていることを特徴とする。
【００１１】
前記突設部は、リール本体の外部に突設された状態で装着される外装部材であってもよく、この前記外装部材は、指で挟持されて回転操作される部材であってもよい。
【００１２】
更に、前記外装部材は、巻取り回転操作されるハンドルの腕部先端部に回転自在に支持された摘み部でもよい。
【発明の効果】
【００１３】
本発明の魚釣用リールによると、突設部の外周に形成した糸巻回層は、他物との衝突時にその衝撃を緩衝し、突設部の本体の表面が直接傷付けられるのが回避され、長期間にわたって良好な耐食性および外観を維持することができる。
【００１４】
糸巻回層が形成された突設部が外装部材の場合には、糸巻回層の緩衝作用によって、外装部材の表面を外力から充分に保護することができる。
【００１５】
この外装部材が指で挟持されて操作される部材であると、糸巻回層が指に優しくかつフィット感のある良好な感触を与え、好適に回転操作することが可能となる。
【００１６】
更に、外装部材がハンドルの腕部先端部に回転自在に支持された摘み部の場合には、フィット感のある好適な把持感覚を持って回転操作することができることに加え、摘み部を挟持する指で魚信を高感度で検知することができ、釣果が向上する。
【発明を実施するための最良の形態】
【００１７】
図１は、本発明の好ましい実施形態による魚釣用リールの全体を示す。
【００１８】
図示の魚釣用リール１０は、握持した手の掌に包み込んだ状態に保持して操作するパーミング性や親指を用いて釣糸の繰出しを操作するサミング性を容易とする小型の両軸受型手巻きリールとして形成してある。
【００１９】
この魚釣用リール１０は、釣糸が巻回されるスプール１２と、このスプール１２を釣糸巻取方向に回転するハンドル１４とを有する。このスプール１２は、図示しないスプール軸を介してリール本体１６に回転可能に支持されている。
【００２０】
本実施形態のリール本体１６は、左右に延びる複数の連結部材１８ａで左右のディスク状部１８ｂ，１８ｃを一体成形により形成したフレーム１８と、このフレーム１８のディスク状部１８ｂ，１８ｃの外側に、例えば複数のネジで締結された左右の側板２０ａ，２０ｂとを有する。この右側の側板２０ａ内には、通常と同様に、ハンドル１４の回転をスプール１２に伝達する駆動機構と、この駆動機構とスプール１２との間に介挿されて一定限度以上の荷重が釣糸に作用したときにスプール１２を空転させるドラグ機構とが収容されており、操作レバー２２を回転操作することにより、ドラグ力を調整することができる。
【００２１】
また、スプール１２の前方側には、スプール１２上に釣糸を均等に巻回するレベルワインド機構２４が配置されている。このレベルワインド機構２４は、右側の側板２０ａ内の駆動機構と連動する係合子２６を左右に移動することにより、ハンドル１４の回転操作にともなって、釣糸をスプール１２上に均等に巻き取ることができる。また、釣糸放出時のバックラッシュを防止するバックラッシュ防止機構が、例えば左側の側板２０ｂ内に設けられる。
【００２２】
このように形成される魚釣用リール１０は、リール本体１６に設けたそれぞれの突設部の所望部位の外周に、符号２６で示す糸巻回層が形成されている。このような糸巻回層２６は、例えば操作上の必要あるいは外観の向上等に応じた所望部位に形成することができるものであり、例えばリール本体１６に設けられた突設部として、図示のような両軸受型リールの場合にあっては、リール本体１６のディスク状部１８ｂおよび側板２０ｂ等に略円筒状形状に一体的に形成された突面部２１ａ，２１ｂの他にも、側板２０ａから側方に突出してハンドル１４の回転軸であるハンドル軸（図示しない）を支える円筒状構造のハンドルスタンド２５があり、このハンドルスタンド２５の外周に糸巻回層２６が形成されている。このように、両軸受型リールにおけるリール本体１６に設けた突設部は、このリール本体１６に一体的に形成された部位で、他の部位よりも外方に突出し、したがって他物に衝突し易い部位をいうものである。
【００２３】
更に、リール本体１６に設けられる突設部は、リール本体１６と一体的に形成される上述の部位の他にも、リール本体１６の外部に突設された状態で装着される外装部材によっても形成される。このような外装部材には、例えば固定用のネジで形成される連結部２８を介してハンドル軸に連結され、この連結部２８から延びる腕部３０の先端側にハンドルノブである摘み部３２を装着したハンドル本体３４が含まれる。更に、ハンドル本体３４だけでなく、リール本体１６に取付けられる各種のキャップ、螺子頭部等の部材もこのような突設部を形成しており、このような突設部の外周に糸巻回層２６を形成することができる。
【００２４】
図示の実施形態では、外装部材としてのハンドル本体３４は、連結部２８でリール本体１２に固定された中央部から、２つの腕部３０を互いに逆方向に延設したダブルハンドルとして形成してあり、それぞれの腕部３０の先端に立設させて固定した支軸３６に、２つのボール軸受３８を介して金属製の摘み部３２を回転自在に装着してある。この摘み部３２は、止めネジ４０により、支軸３６から抜け止めされており、腕部４０および支軸３６と同様に、エンジニアリングプラスチック等の硬質樹脂あるいはアルミニウム合金等の金属を含む高強度の硬質材料で形成され、その外周に糸巻回層２６が配置されている。
【００２５】
この摘み部３２を２本あるいは３本の指で挟持する状態で把持し、支軸３６上で回転しつつ腕部３０を連結部２８の回りで回転させると、リール本体１６内に収容された駆動機構を介してスプール１２が回転され、これに同期してレベルワインド機構２４が係合子２６を左右に移動する。これにより、スプール１２上に釣糸が均等に巻回される。
【００２６】
このような摘み部３２の外周等、種々の突設部の所望部位の外周に形成した糸巻回層２６は、他物に当たったときに、この衝撃を緩衝し、リール本体１８の突設部あるいはハンドル１４等の外装部材の表面への直接的な傷発生を回避し、これらの突設部の良好な耐食性および外観を維持し、また、外装部材の表面を保護するものである。このような種々の突設部あるいは外装部材に形成される糸巻回層２６について、金属製の摘み部３２との関連で説明する。
【００２７】
図２に拡大して示すように、本実施形態の摘み部３２は、支軸３６と一対の軸受３８と止めネジ４０とを収容する段付構造の内孔を有し、止めネジ４０の頭部も外方に突出することなく、この内孔内に収容される。この円筒状構造の摘み部３２の外周には、略半円形の断面形状を有する突条４４が軸方向の両端部で全周にわたって延設され、これらの突条４４の間の凹溝４２に糸巻回層２６が形成されている。これらの突条４４は、把持する指に痛みを与えないものであれば、その幅すなわち摘み部３２の軸方向に沿う寸法を適宜の大きさに形成し、その外面形状も種々の形状とすることができる。
【００２８】
糸巻回層２６は、摘み部３２の中心軸すなわち回転軸に対して直角方向に糸４６を巻回することで形成してあり、その全体が透明あるいは半透明又は透明性があってカラー色調を有する樹脂４８で覆われている。糸４６は、凹部４２の深さすなわち突条４４の高さよりも僅かに小径に形成されており、隣接する糸４６間に隙間を形成することなく密巻き状に巻回したときに、突条４４を超えて半径方向外方に突出することはない。樹脂４８は、この糸巻回層２６を形成する糸４６の緩みあるいは位置ずれが生じるのを防止する。
【００２９】
このような糸巻回層２６を形成する糸４６は、摘み部３２の外面を保護できるものであれば、綿糸等の天然材料、あるいはナイロン糸等の人造材料を含む適宜の材料で形成することができる。また、糸巻回層２６は、図示のように糸４６を一層のみ巻回して形成するだけでなく、より細い糸を用いて複数層を巻回して形成することも可能である。このような糸４６を覆う樹脂４８は、糸巻回層２６の弾性あるいは保持感覚を損なわないものであれば適宜のものでよく、糸４６と共に糸巻回層２６を通じて魚釣用リール１０の外観を向上させるために、エポキシ樹脂等のクリヤー塗料であるのが好ましく、自然乾燥、強制乾燥、あるいはＵＶ系塗料（紫外線硬化塗料）が使用される。
【００３０】
図２に示すように、樹脂４８が糸巻回層２６を完全に覆う状態に塗布する場合は、糸４６に樹脂４８を含浸させた状態で硬化させた後、重ね塗りしてもよい。また、図３に示すように、糸４６の一部を外部に露出させた状態に塗布してもよい。糸４６を指に直接接触させることができるため、滑り止め機能を向上させることができる。この場合には、凹溝４２内に予め適量の樹脂４８を塗布しておき、この樹脂４８の上から糸４６を巻回して糸巻回層２６を形成することも可能である。いずれの場合も、樹脂４８は、突条４４の頂部４４ａが露出した状態を維持し、この摘み部３２を糸巻回層２６の上から把持したときに、把持した手の指が糸巻回層２６あるいはこの上の樹脂４８と共に、突条４４の頂部４４ａを介して摘み部３２に直接接触可能としておくことが好ましい。
【００３１】
このように指で挟持操作される摘み部３２の外周に糸巻回層２６が形成されることにより、この糸巻回層２６を介して指に優しくフィット感のある状態で良好な回転操作を行うことができことに加え、摘み部３２は金属等の硬質材料で形成されているため、釣糸を介して伝達される微細な魚信を指に伝達することができ、魚信感度を更に高めることができる。特に、摘み部３２の外周の全体を糸巻回層２６で覆うのではなく、突条４４が露出しているため、この突条４４を介して魚信を高感度で検知することができ、釣果を向上させることができる。
【００３２】
図４は、他の実施形態による魚釣用リール１０Ａを示す。なお、以下に説明する実施形態も基本的には上述の実施形態と同様であるため、同様な部位には同様な符号を付してその詳細な説明を省略する。
【００３３】
この実施形態では、レベルワイド機構の図示を省略してあり、対象魚の種類や魚釣時における魚とのファイティングを伴う釣法における糸切れや口切れ対策としてスプール１２を摩擦制動しつつ回転可能とするドラグ力を調整するための円筒状のドラグ摘み５０が外装部材として設けられており、このドラグ摘み５０の外周に糸巻回層２６が形成されている。
【００３４】
また、外装部材としてのハンドル１４Ａは、連結部２８としての固定用ネジから一側に腕部３０を延設したシングルハンドルとして形成してあり、この腕部３０の先端には、一端側が幅広のバー状に拡大したＴ字状形状を有する摘み部５２が回転自在に取付けられている。このハンドル１４Ａでは、連結部２８を形成する固定用ネジの外周に糸巻回層２６が形成され、更に、Ｔ字状形状を形成する３つの脚部のそれぞれの外周に糸巻回層２６が形成されている。
【００３５】
この実施形態による魚釣用リール１０Ａにおいても、本体すなわちドラグ摘み５０、固定用ネジで形成される連結部２８およびＴ字状の摘み部５２の表面が、糸巻回層２６の衝撃緩衝作用で保護され、外力による直接的な傷発生が回避され、良好な耐食性と外観とを維持することができる。また、ハンドル１４Ａの摘み部５２も、特に、その表面の一部が露出した状態で糸巻回層２６が形成されているため、フィット感のある巻取り回転操作を行うことができると共に、摘み部５２を挟持する指で魚信を高感度で検知することができる。
【００３６】
以上、本発明の種々の実施形態および変形例について個々に説明してきたが、本発明はいずれかの実施形態あるいは変形例に限定されるものではなく、様々な用途に応じて適宜に組合せあるいは変更することが可能である。例えば、上述のような両軸受型リールに限らず、スピニングリールのボディやボディカバー等にも糸巻回層２６を形成することができる。また、複数部位に糸巻回層２６を形成する場合には、それぞれの糸４６の太さ、色彩あるいは材質等を様々に組合わせることが可能である。
【図面の簡単な説明】
【００３７】
【図１】本発明の好ましい実施形態による魚釣用リールの部分断面図。
【図２】図１に示す魚釣用リールのハンドルの摘み部を拡大して示す断面図。
【図３】変形例による摘み部の図２と同様な断面図。
【図４】他の実施形態による魚釣用リールの説明図。
【符号の説明】
【００３８】
１０…魚釣用リール、１６…リール本体、２１ａ，２１ｂ…突面部（突設部）、３２…摘み部（突設部）、２５…ハンドルスタンド（突設部）、２６…糸巻回層。
【図１】
2007209280.tif 000003
【図２】
2007209280.tif 000004
【図３】
2007209280.tif 000005
【図４】
2007209280.tif 000006